(57)【要約】  本発明は、引出（３）用のレールストラット（１３）に関し、このときレールストラット（１３）は、引出（３）の壁要素（９，１１）との結合のための少なくとも１つの端部領域を有しており、このときレールストラット（１３）は、少なくとも１つの端部領域に、少なくとも１つのロック要素（２３ａ，２３ｂ，２３ｃ，２３ｄ）を備えたロック装置を有していて、少なくとも１つのロック要素（２３ａ，２３ｂ，２３ｃ，２３ｄ）は、レールストラット（１３）のロックのために壁要素（９，１１）と係合させることができ、このときレールストラット（１３）は、少なくとも１つのロック要素（２３ａ，２３ｂ，２３ｃ，２３ｄ）に加えて、可動に支持された少なくとも１つの操作要素（２１，２１ａ）を有しており、このとき少なくとも１つのロック要素（２３ａ，２３ｂ，２３ｃ，２３ｄ）は、操作要素（２１，２１ａ）に力を加えることによって解除位置に可動であり、該解除位置において、レールストラット（１３）の、壁要素（９，１１）とロックされた状態において、レールストラット（１３）と壁要素（９，１１）との間におけるロックが解除可能であり、このとき少なくとも１つの操作要素（２１，２１ａ）は、レールストラット（１３）の、壁要素（９，１１）とのロックされた状態において、使用者のために手動操作を目的としてアクセス可能であり、かつ直接操作可能であり、これによってレールストラット（１３）と壁要素（９，１１）との間におけるロックが、操作要素（２１，２１ａ）の手動操作によって解除可能である。
2021506492.tif 000002
【特許請求の範囲】
【請求項１】
引出（３）用のレールストラット（１３）であって、当該レールストラット（１３）は、前記引出（３）の壁要素（９，１１）との結合のための少なくとも１つの端部領域を有しており、当該レールストラット（１３）は、前記少なくとも１つの端部領域に、少なくとも１つのロック要素（２３ａ，２３ｂ，２３ｃ，２３ｄ）を備えたロック装置を有していて、前記少なくとも１つのロック要素（２３ａ，２３ｂ，２３ｃ，２３ｄ）は、当該レールストラット（１３）のロックのために前記壁要素（９，１１）と係合させることができ、当該レールストラット（１３）は、前記少なくとも１つのロック要素（２３ａ，２３ｂ，２３ｃ，２３ｄ）に加えて、可動に支持された少なくとも１つの操作要素（２１，２１ａ）を有しており、前記少なくとも１つのロック要素（２３ａ，２３ｂ，２３ｃ，２３ｄ）は、前記操作要素（２１，２１ａ）に力を加えることによって解除位置に可動であり、該解除位置にあっては、当該レールストラット（１３）の、前記壁要素（９，１１）とロックされた状態における当該レールストラット（１３）と前記壁要素（９，１１）との間におけるロックが解除可能である、レールストラット（１３）において、
前記少なくとも１つの操作要素（２１，２１ａ）は、当該レールストラット（１３）が前記壁要素（９，１１）にロックされた状態において、使用者のために手動操作を目的としてアクセス可能であり、かつ直接操作可能であり、これによって当該レールストラット（１３）と前記壁要素（９，１１）との間におけるロックが、前記操作要素（２１，２１ａ）の手動操作によって解除可能である
ことを特徴とする、レールストラット（１３）。
【請求項２】
前記少なくとも１つの操作要素（２１，２１ａ）は、当該レールストラット（１３）に、好ましくは当該レールストラット（１３）の長手方向（Ｌ）において移動可能に支持されているか、または好ましくは取付け位置において水平に延びている軸線（２７）を中心にして旋回可能に、または屈曲可能に支持されている、
請求項１記載のレールストラット。
【請求項３】
当該レールストラット（１３）の前記少なくとも１つの端部領域は、少なくとも２つのロック要素（２３ａ，２３ｂ，２３ｃ，２３ｄ）を有しており、前記少なくとも２つのロック要素（２３ａ，２３ｂ，２３ｃ，２３ｄ）は、前記操作要素（２１，２１ａ）に力を加えることによって、一緒に解除位置に移動可能であり、好ましくは、第１のロック要素（２３ａ，２３ｂ，２３ｃ，２３ｄ）および／または少なくとも１つの第２のロック要素（２３ａ，２３ｂ，２３ｃ，２３ｄ）が、前記操作要素（２１，２１ａ）に力を加えることによって、当該レールストラット（１３）の長手方向（Ｌ）において可動である、
請求項１または２記載のレールストラット。
【請求項４】
前記少なくとも２つのロック要素（２３ａ，２３ｂ，２３ｃ，２３ｄ）は、当該レールストラット（１３）の長手方向（Ｌ）において互いに間隔をおいて配置されている、
請求項３記載のレールストラット。
【請求項５】
前記少なくとも１つのロック要素（２３ａ，２３ｂ，２３ｃ，２３ｄ）に、少なくとも１つのばね要素（２４）によって予荷重が加えられており、前記ロック要素（２３ａ，２３ｂ，２３ｃ，２３ｄ）は、前記ばね要素（２４）の力に抗して前記操作要素（２１，２１ａ）に力を加えることによって、解除位置に移動可能である、
請求項１から４までのいずれか１項記載のレールストラット。
【請求項６】
前記少なくとも１つのばね要素（２４）は、前記少なくとも１つのロック要素（２３ａ，２３ｂ，２３ｃ，２３ｄ）と共に一体に形成されている、
請求項５記載のレールストラット。
【請求項７】
前記少なくとも１つのばね要素（２４）、前記少なくとも１つのロック要素（２３ａ，２３ｂ，２３ｃ，２３ｄ）、および前記少なくとも１つの操作要素（２１，２１ａ）は、共に一体に形成されている、
請求項５または６記載のレールストラット。
【請求項８】
当該レールストラット（１３）の前記少なくとも１つの端部領域は、支持部分（１７）を有しており、該支持部分（１７）は、前記壁要素（９，１１）に当該レールストラット（１３）を予め位置決めするために、前記壁要素（９，１１）の対応する開口（１９）内に、または前記壁要素（９，１１）に取り付けられた家具金具（１５）の対応する開口（１９）内に導入可能である、
請求項１から７までのいずれか１項記載のレールストラット。
【請求項９】
当該レールストラット（１３）は、前記支持部分（１７）が対応する前記開口（１９）に導入されている位置を起点として、当該レールストラット（１３）の長手方向（Ｌ）に延びている軸線を中心にして手動で旋回可能であり、これによって前記少なくとも１つのロック要素（２３ａ，２３ｂ，２３ｃ，２３ｄ）は、前記壁要素（９，１１）と、または前記壁要素（９，１１）に取り付けられた前記家具金具（１５）とロック可能である、
請求項８記載のレールストラット。
【請求項１０】
当該レールストラット（１３）は、当該レールストラット（１３）と、前記壁要素（９，１１）、または前記壁要素（９，１１）に配置された、または形成された家具金具（１５）との間におけるロックを解除するために、可動に支持された第２の操作要素（２１，２１ａ）を備えた第２の端部領域を有している、
請求項１から９までのいずれか１項記載のレールストラット。
【請求項１１】
請求項１から１０までのいずれか１項記載の少なくとも１つのレールストラット（１３）と、引出（３）の少なくとも１つの壁要素（９，１１）、特に前板（９ａ）または背壁（１１ａ）とを備えたアセンブリであって、前記レールストラット（１３）の端部領域が、ロック装置によって、前記壁要素（９，１１）に解離可能に結合可能である、アセンブリ。
【請求項１２】
当該アセンブリは、引出側壁（１２）を有しており、かつ前記レールストラット（１３）は、好ましくは設定された間隔をおいて、前記引出側壁（１２）の上方に配置されている、
請求項１１記載のアセンブリ。
【請求項１３】
請求項１から１０までのいずれか１項記載の少なくとも１つのレールストラット（１３）、または請求項１１または１２記載のアセンブリを備えた引出（３）。
【請求項１４】
請求項１から１０までのいずれか１項記載のレールストラット（１３）を、互いにほぼ平行に配置された少なくとも２つの壁要素（９，１１）、特に前板（９ａ）および背壁（１１ａ）を有している引出（３）に取り付けるための方法であって、
下記のステップ、すなわち：
- 前記レールストラット（１３）の第１の端部領域を、第１の壁要素（９）、または前記第１の壁要素（９）に取り付けられた家具金具（１５）に結合させ、前記レールストラット（１３）が、前記壁要素（９，１１）に対して垂直に配置されている仮想の結合線（２２）との間に鋭角を成す、ステップと、
- 前記鋭角を、前記仮想の結合線（２２）に対する前記レールストラット（１３）の旋回によって、前記レールストラット（１３）が前記仮想の結合線（２２）にほぼ平行に方向付けられるまで小さくさせ、その際に好ましくは、前記レールストラット（１３）の支持部分（１７）が、第２の壁要素（１１）の開口（１９）内に導入されるようになっている、ステップと、
- 次いで前記レールストラット（１３）を、前記レールストラット（１３）の長手方向（Ｌ）に沿って延びている軸線を中心にして、前記レールストラット（１３）の少なくとも１つのロック要素（２３ａ，２３ｂ，２３ｃ，２３ｄ）が前記第２の壁要素（１１）とロックするまで旋回させ、その際に好ましくは、前記少なくとも１つのロック要素（２３ａ，２３ｂ，２３ｃ，２３ｄ）が前記第２の壁要素（１１）の切欠き（２０）内に係合するようになっている、ステップと、
を特徴とする、方法。
【請求項１５】
前記操作要素（２１，２１ａ）を、力を加えることによって解除位置に移動させ、該解除位置では、前記レールストラット（１３）と、前記壁要素（９，１１）、または前記壁要素（９，１１）に配置された、または形成された前記家具金具（１５）との間におけるロックが解除される、
請求項１４記載の方法。
【発明の詳細な説明】
【技術分野】
【０００１】
本発明は、引出用のレールストラットであって、このときレールストラットは、引出の壁要素との結合のための少なくとも１つの端部領域を有しており、このときレールストラットは、少なくとも１つの端部領域に、少なくとも１つのロック要素を備えたロック装置を有していて、少なくとも１つのロック要素は、レールストラットのロックのために壁要素と係合させることができ、このときレールストラットは、少なくとも１つのロック要素に加えて、可動に支持された少なくとも１つの操作要素を有しており、このとき少なくとも１つのロック要素は、操作要素に力を加えることによって解除位置に可動であり、該解除位置において、レールストラットの、壁要素とロックされた状態において、レールストラットと壁要素との間におけるロックが解除可能である、レールストラットに関する。
【０００２】
さらに本発明は、記載される形式の少なくとも１つのレールストラットと、引出の少なくとも１つの壁要素、特に前板または背壁とを備えたアセンブリであって、このときレールストラットの端部領域が、ロック装置によって、壁要素に解離可能に結合可能である、アセンブリに関する。
【０００３】
さらに本発明は、記載される形式の少なくとも１つのレールストラットを備えた引出、およびレールストラットを引出に取付け・取外しするための方法に関する。
【０００４】
レールストラットは、引出の収容容積を増大させるために、引出を補強するために、かつ長さ調節可能な構成では引出前板の傾斜調節のためにも使用される。通常レールストラットは、設定された間隔をおいて引出側壁の上方に位置決めされ、このときレールストラットの長手方向は、引出側壁の長手方向にほぼ平行に延びている。
【０００５】
レールストラットの一例が、本出願人の欧州特許第２３２３５１８号明細書に開示されている。この例ではレールストラットの後ろ側の端部領域は、スナップ結合要素を介して引出の背壁に結合可能である。スナップ結合要素は、１つまたは複数のプラスチック接続板を有していてよく、このプラスチック接続板は、レールストラットのロックされた状態において、背壁の対応する開口内に係合する。この構成の欠点は、背壁からのレールストラットの取外しが、比較的困難であり、かつ大きな力を加えることによってしか実施できないことである。
【０００６】
米国特許出願公開第２００７／１５９０３９号明細書に開示された、レールストラットを備えた引出では、レールストラットは後ろ側の端部領域に、引出背壁に解離可能に結合するためのクリップを備えている。クリップは、ばね弾性に形成されたウェブを有していて、このウェブには、レールストラットの取付け時に背壁の対応する収容開口に係合する舌片が配置されている。ロックを解除するためには、ねじ回しが背壁のアクセス開口内に差し込まれ、これによって舌片と引出背壁の収容開口との間におけるロックが解除可能である。ばね弾性に形成されたウェブをねじ回しを用いて持ち上げることによって、舌片をその弾性作用に抗して、背壁の収容開口から外に移動させることができ、これによってレールストラットは引出背壁から切離し可能である。この構成の欠点は、舌片への視界が制限されていて、かつ舌片へのアクセスが困難であり、このときまたロックを解除するために、工具が不可欠であるということにある。
【０００７】
引出におけるレールストラットの別の解離可能な固定可能性は、中国実用新案第２６２７９１６号明細書、国際公開第２０１７／００１６１０号、独国特許出願公開第１０２００９０２５７９２号明細書、および欧州特許出願公開第０７２３７５２号明細書に開示されている。
【０００８】
ゆえに本発明の課題は、冒頭に述べた形式のレールストラットを、上において問題となった欠点を回避して提供することである。
【０００９】
この課題は、本発明によれば請求項１記載の特徴によって解決される。本発明のさらなる好適な構成は、従属請求項に記載されている。
【００１０】
本発明によれば、少なくとも１つの操作要素は、レールストラットが壁要素とロックされた状態において、使用者のために手動操作を目的としてアクセス可能であり、かつ直接操作可能であり、これによってレールストラットと壁要素との間におけるロックが、操作要素の手動操作によって解除可能であることが提案されている。
【００１１】
言い換えれば、レールストラットは、可動に支持された少なくとも１つの操作要素を有しており、この操作要素によって、レールストラットと引出の壁要素との間におけるロックが、壁要素にレールストラットが取り付けられた状態において解除可能である。取付け位置にあるレールストラットの操作要素は、使用者にとってアクセス可能であり、かつ直接操作可能であるので、（例えばクリーニング目的のために）レールストラットの容易な取外しが可能になる。
【００１２】
操作要素は、少なくとも１つのロック要素とは別体に形成されていてよい。択一的に、操作要素と少なくとも１つのロック要素とが、１つの共通の部材に、しかしながら明らかに互いに区別可能なコンポーネントとして形成されていることが可能である。１つの実施例によれば、操作要素とロック要素とは、互いに作動連結されていて、これによって操作要素に相応の力を加えることによって、解除位置へのロック要素の（破壊なしの）移動が生ぜしめられる。
【００１３】
操作要素は、レールストラットに、好ましくはレールストラットの長手方向において移動可能に支持されており、かつ／または好ましくは取付け位置において水平に延びている軸線を中心にして旋回可能に、または屈曲可能に支持されていてよい。
【００１４】
操作要素は、レールストラットの端面に、かつ／またはレールストラットの周面に可動に配置されていてよい。例えば操作要素は、レールストラットの端面と、かつ／またはレールストラットの周面とほぼ面一を成しており、これによって操作要素に意図せずに力が加えられることが阻止され、かつ魅力的な外観が与えられている。
【００１５】
操作要素は、手動操作のために形成されており、このとき操作要素には、静止摩擦を高める刻み目が設けられていてよい。
【００１６】
レールストラットの少なくとも１つの端部領域は、少なくとも２つのロック要素を有していてよく、このとき少なくとも２つのロック要素は、操作要素に力を加えることによって、一緒に解除位置に可動である。操作要素に力を加えることによって一緒に、壁要素を解放する解除位置に可動である、２つ以上のロック要素を配置することによって、ロックされた状態において、レールストラットと壁要素との間における特に旋回を防止された結合と、引出の壁要素からのロック要素の快適なロック解除とを実現することができる。
【００１７】
レールストラットは、引出の壁要素に直接、例えばレールストラットに配置されたピンによって結合されていてよく、このピンは、壁要素の孔内に導入可能であり、かつ導入された位置において保持される。択一的に、レールストラットが、壁要素に配置された、または形成された少なくとも１つの家具金具を介して、壁要素に結合されている構成が可能である。
【００１８】
本発明のさらなる詳細および利点は、以下における図面の説明に記載されている。
【図面の簡単な説明】
【００１９】
【図１】引出しガイドを介して家具本体に対して相対的に走行可能に支持された、引出を備えた家具を示す斜視図である。
【図２】図２ａ〜図２ｃは、レールストラットの組立てを、経時的なステップにおいて示す図である。
【図３】図３ａ〜図３ｃは、引出の後ろ側の端部領域を部分的に破断して示す斜視図であって、レールストラットのロックとロック解除とを示す斜視図である。
【図４ａ】レールストラットを示す分解図である。
【図４ｂ】家具金具によってロックされたレールストラットを示す横断面図である。
【００２０】
図１には、家具本体２と、引出しガイド４を介して家具本体２に対して相対的に走行可能に支持されている引出３とを備えた、家具１が斜視図で示されている。引出しガイド４は、固定部分６ａ，６ｂによって家具本体２に固定することができる１つの本体レール５と、本体レール５に対して相対的に走行可能に支持されていて引出３に結合することができる少なくとも１つの引出しレール８とを有している。引出３の完全引出しを実現するために、追加的な中間レール７が設けられていてよく、この中間レール７は、本体レール５と引出しレール８との間において走行可能に支持されている。引出３は、それぞれ（好ましくは前板９ａおよび背壁１１ａの形態の）壁要素９，１１、引出底部１０、および引出側壁１２を有しており、この引出側壁１２は、引出しガイド４の引出しレール８に結合されているか、または解離可能に結合可能である。さらに少なくとも１つのレールストラット１３が設けられており、このレールストラット１３は、少なくとも、前板９ａと背壁１１ａとの間における部分領域にわたって延びていて、かつ設定された間隔をおいて引出側壁１２の上方に配置されており、さらにレールストラット１３の長手方向（Ｌ）は、取り付けられた状態において引出側壁１２にほぼ平行に延びている。引出側壁１２とレールストラット１３との間には、少なくとも１つの第２の装飾板１４ｂ（図２ｂ）が配置されていてよい。
【００２１】
図２ａ〜図２ｃには、引出３におけるレールストラット１３の取付けが、経時的に示されている。引出３は、第１の壁要素９と、第１の装飾板１４ａを収容するための別の壁要素３ａとを有しており、第１の装飾板１４ａは、第２の装飾板１４ｂのように、ガラス、石、木、プラスチック、または金属から形成されていてよい。第１の壁要素９には、結合ピンの形態の家具金具１５が配置されているか、または形成されており、この家具金具１５は、レールストラット１３の第１の端部領域に結合可能である。図示の実施例では、レールストラット１３の第１の端部領域は、家具金具１５を収容するための中空室１８を有している。レールストラット１３の第２の端部領域には、切欠き１６が配置されており、この切欠き１６は、平面図においてほぼ方形またはＬ字形に形成されていて、かつレールストラット１３の取り付けられた状態において、第２の壁要素１１を部分的に収容するように設けられている。レールストラット１３には支持部分１７が設けられており、この支持部分１７は、第２の壁要素１１の、好ましくは水平に延びている開口１９内に導入可能である。レールストラット１３の切欠き１６内には、可動に支持された少なくとも１つのロック要素２３ａが配置されており、このロック要素２３ａは、第２の壁要素１１の第１の切欠き２０とロック可能である。操作要素２１によって、レールストラット１３の取り付けられた状態において、レールストラット１３と第２の壁要素１１との間におけるロックは解除可能である。仮想の結合線２２（図２ｂ）は、第１の壁要素９および第２の壁要素１１に対して垂直に配置されている。
【００２２】
レールストラット１３の取付けのために、下記の動作が行われる。すなわち、
- レールストラット１３は、第１の端部領域で第１の壁要素９に、または第１の壁要素９に取り付けられた家具金具１５に結合させられ（図２ｂ）、このときレールストラット１３は、壁要素９，１１に対して垂直に配置されている仮想の結合線２２に対して鋭角を成しており、
- この鋭角は、仮想の結合線２２に対するレールストラット１３の旋回によって、レールストラット１３が仮想の結合線２２に対してほぼ平行に方向付けられるまで小さくなり（図２ｃ）、このとき好ましくは、レールストラット１３の支持部分１７が、第２の壁要素１１の開口１９内に導入されるようになっており、
- 次いでレールストラット１３は、レールストラットの長手方向（Ｌ）に延びている軸線を中心にして、レールストラット１３の少なくとも１つのロック要素２３ａが第２の壁要素１１とロックされるまで、手動で旋回させられ、このとき好ましくは、少なくとも１つのロック要素２３ａが第２の壁要素１１の第１の切欠き２０内に係合するようになっている。
【００２３】
第２の壁要素１１からのレールストラット１３の取外しは、操作要素２１が、力を加えることによって（例えばレールストラット１３の長手方向（Ｌ）において操作要素２１に圧力を加えることによって）、レールストラット１３と壁要素１１、または壁要素９に取り付けられた家具金具１５との間におけるロックが解除されるまで、解除位置に移動させられることによって行われる。
【００２４】
図３ａには、引出３の後ろ側の端部領域が、部分的に破断されて上から見た斜視図で示されている。図示の実施例においてレールストラット１３は、可動に支持された少なくとも２つのロック要素２３ａ，２３ｂを有しており、このとき第１のロック要素２３ａは、壁要素１１の第１の切欠き２０に解除可能にロック可能であり、かつ第２のロック要素２３ｂは、壁要素１１の第２の切欠き２０ａに解除可能にロック可能である。このとき壁要素１１の切欠き２０，２０ａの仮想の長手方向軸線は、互いに直角に延びていてよく、これによってレールストラット１３と壁要素１１との間における特に旋回を防止する結合が可能になる。ロック要素２３ａ，２３ｂには、少なくとも１つのばね要素２４によって予荷重が加えられており、このときロック要素２３ａ，２３ｂは、ばね要素２４の力に抗して操作要素２１に力を加えることによって、一緒に解除位置に可動である。図示の実施例ではばね要素２４は、レールストラット１３の定置のストッパ２５に支持されているばね弾性のプラスチック部材によって形成される。ばね要素２４としては、圧縮ばね、引張りばね、またはトーションばねのような機械的なばね要素を使用することも可能である。
【００２５】
レールストラット１３は、レールストラット１３の前側の端部領域が家具金具１５に被せ嵌められ、かつ後ろ側の端部領域の支持部分１７が壁要素１１の開口１９内に押し込まれることによって、壁要素１１において予め位置決めされる。レールストラット１３の予め位置決めされた位置は、図３ａに示されている。次いで、長手方向（Ｌ）に延びている軸線を中心にしてレールストラット１３を手動で旋回させることによって、ロック要素２３ａ，２３ｂは、ばね要素２４の力に抗して移動させられ、その後で両ロック要素２３ａ，２３ｂは、壁要素１１の切欠き２０，２０ａ内に係合し、好ましくは係止する（図３ｂ）。このようにしてレールストラット１３は、長手方向（Ｌ）において引出３に対して相対的に遊びなしに配置され、かつレールストラット１３と壁要素１１との間における特に旋回を防止された結合もまた達成される。なぜならばレールストラット１３は少なくとも１つの端部領域が、壁要素１１における互いに異なった３つの位置において（支持部分１７が開口１９において、第１のロック要素２３ａが壁要素１１の第１の切欠き２０において、第２のロック要素２３ｂが壁要素１１の第２の切欠き２０ａにおいて）それぞれ固定されているからである。長手方向（Ｌ）において操作要素２１に力を加えることによって、ロック要素２３ａ，２３ｂと壁要素１１の切欠き２０，２０ａとの間におけるロックを再び解除することができ（図３ｃ）、このときばね要素２４は図３ｃにおいて最大に圧縮されている。図３ａ〜図３ｃに示されているように、ばね要素２４、ロック要素２３ａ，２３ｂ、および操作要素２１は、一緒に一体に形成されていてよい。
【００２６】
好ましくは、第１のロック要素２３ａおよび／または第２のロック要素２３ｂは、レールストラット１３の長手方向（Ｌ）において操作要素２１に力を加えることによって可動であるようになっていてよい。
【００２７】
図４ａには、レールストラット１３が分解図で示されており、このときレールストラット１３の両端部領域には、可動に支持された操作要素２１，２１ａが、前側の壁要素９（例えば壁要素に配置された家具金具１５を備えた）と後ろ側の壁要素１１との間におけるロックを解除するために設けられている。レールストラット１３を予め位置決めするために設けられた支持部分１７は、接続板の形態で支承部材３０に形成されており、このとき支持部分１７は、壁要素１１の開口１９内に導入可能である。ばね要素２４、ロック要素２３ａ，２３ｂ、および操作要素２１から成る共通の構成ユニットは、取付け位置において、レールストラット１３の長手方向（Ｌ）において支承部材３０に対して相対的に移動可能に支持されている。
【００２８】
レールストラット１３の前側の端部領域には、好ましくは長手方向（Ｌ）においてばね弾性に形成された長さ補償要素２６が配置されており、この長さ補償要素２６は、壁要素９，１１とのレールストラット１３のロックされた状態においてレールストラット１３の前端部と壁要素９との間において発生する間隙をカバーするために働く。家具金具１５を収容するための中空室１８は、収容部分３１内に形成されており、このとき家具金具１５は、収容部分３１の可動に支持されたロック要素２３ｃ，２３ｄによって解除可能にロック可能である。すなわち家具金具１５のヘッド部分３３（図４ｂ）は、ロック要素２３ｃ，２３ｄと、かつ第２の操作要素２１ａに結合されたロック要素２３ｅによって解除可能にロック可能である。図示の実施例において第２の操作要素２１ａは、レールストラット１３の周面に（例えばレールストラット１３の下面２９に）配置されており、このとき第２の操作要素２１ａは、取付け位置において水平方向に延びる軸線２７を中心にして旋回可能に、または屈曲可能に支持されている。操作要素２１ａには、斜面２８ａ，２８ｂが結合されており、これらの斜面２８ａ，２８ｂは、軸線２７を中心にした第２の操作要素２１ａの移動時に、収容部分３１のロック要素２３ｃ，２３ｄを弾性的に拡開し、これによって家具金具１５（ひいては壁要素９）は、ロック要素２３ｃ，２３ｄ，２３ｅから解放される。
【００２９】
図４ｂには、前側の壁要素９が横断面図で示されており、このときレールストラット１３は、壁要素９に配置された家具金具１５とロックされている。家具金具１５は、壁要素９における固定のためのプラグ３２と、このプラグ３２から間隔をおいて配置されたヘッド部分３３とを有していてよく、このヘッド部分３３は、収容部分３１のロック要素２３ｃ，２３ｄと、第２の操作要素２１ａのロック要素２３ｅとによってロックされている。第２の操作要素２１ａは、レールストラット１３の下面２９に配置されていて、かつレールストラット１３の下面２９とほぼ面一を成している。第２の操作要素２１ａは、図４ｂに示されているように、刻み目または工具受容部を備えていてよい。第２の操作要素２１ａは、長手方向（Ｌ）に対して横方向に延びる方向において圧力を加えることによって、軸線２７を中心にして屈曲可能であるか、または旋回可能であり、この結果ロック要素２３ｃ，２３ｄは、斜面２８ａ，２８ｂによって拡開可能であり、かつこれによって家具金具１５のヘッド部分３３は解離可能である。ヘッド部分３３および／またはロック要素２３ｅの、ロックされた状態において互いに接触する領域には、斜面を形成することができ、これによってヘッド部分３３は、軸線２７を中心にした第２の操作要素２１ａの移動によって、レールストラット１３の前側の中空室１８からアクティブに押出し可能であり、かつこれによってレールストラット１３の取外しは、迅速にかつ快適に行われる。
【００３０】
レールストラット１３の特別な利点は、レールストラット１３が、ロック装置と一緒に、前組立てされた構成ユニットを形成しており、かつレールストラット１３を取り付けることが望まれている引出３に、ロックの目的のために、（壁要素１１の開口１９および切欠き２０，２０ａを除いて）追加的な機能要素を設ける必要がないことにある。合目的的である場合には、レールストラット１３は、長さ調節可能に形成されていてもよく、このことは、例えばレールストラット１３の、長手方向（Ｌ）において互いにテレスコープ式に走行可能な少なくとも２つの部分ストラットによって可能である。
【図１】
2021506492.tif 000003
【図２ａ】
2021506492.tif 000004
【図２ｂ】
2021506492.tif 000005
【図２ｃ】
2021506492.tif 000006
【図３ａ】
2021506492.tif 000007
【図３ｂ】
2021506492.tif 000008
【図３ｃ】
2021506492.tif 000009
【図４ａ】
2021506492.tif 000010
【図４ｂ】
2021506492.tif 000011
【国際調査報告】
2021506492.tif 000012
2021506492.tif 000013
2021506492.tif 000014
2021506492.tif 000015
2021506492.tif 000016